(57)【要約】【課題】プラグ端子組立体の展開状態が堅固に維持でき、製品の信頼性が向上する電源接続装置を提供する。【解決手段】電源接続装置は、中間に挿通孔が形成される第１ケースと該第１ケースと結合されて内部に収容空間を有し、前記挿通孔に対応して内面にボス部が突設される第２ケースと、前記第１ケースの挿通孔の内部に回転可能に設置され、所定位置にスロットが形成される支持部材と、プリント基板に接続するように前記第２ケースのボス部に設置される接続板と、前記支持部材に回動可能に設置され、一方端部は前記接続板に接触し、他方端部は前記第１ケースの挿通孔を貫通して前記第１ケースの外部に露出するプラグ端子組立体とを含む。【選択図】図１
2006120631.tif 000002
【特許請求の範囲】
【請求項１】
中間に挿通孔が形成される第１ケースと
該第１ケースと結合されて内部に収容空間を有し、前記挿通孔に対応して内面にボス部が突設される第２ケースと、
前記第１ケースの挿通孔の内部に回転可能に設置され、所定位置にスロットが形成される支持部材と、
プリント基板に接続するように前記第２ケースのボス部に設置される接続板と、
前記支持部材に回動可能に設置され、一方端部は前記接続板に接触し、他方端部は前記第１ケースの挿通孔を貫通して前記第１ケースの外部に露出するプラグ端子組立体と
を含むことを特徴とする電源接続装置。
【請求項２】
前記プラグ端子組立体は、
前記支持部材に差し込まれるプラグ端子と、
各プラグ端子を連結し、前記支持部材の軸孔に回動可能に挿入される絶縁体の軸とからなることを特徴とする請求項１に記載の電源接続装置。
【請求項３】
前記支持部材に接触して前記プラグ端子組立体の展開状態を維持できるように前記各プラグ端子の終端に支持突起が形成されることを特徴とする請求項２に記載の電源接続装置。
【請求項４】
前記軸の中間には溝が形成され、前記溝に対応して前記支持部材には突起が形成されることを特徴とする請求項２に記載の電源接続装置。
【請求項５】
各プラグ端子の一側端部の中間に接続突起が形成され、前記接続突起に対応して前記接続板には接続溝が形成されることを特徴とする請求項２に記載の電源接続装置。
【請求項６】
前記プラグ端子組立体の展開状態で、前記プラグ端子の接続突起が前記接続溝に接触することを特徴とする請求項５に記載の電源接続装置。
【請求項７】
前記プラグ端子組立体の展開状態では、前記プラグ端子の他側端部が前記第１ケースの挿通孔を貫通して前記第１ケースの外部に露出し、前記プラグ端子組立体の折り畳み状態では、前記プラグ端子の他側端部が前記第１ケースの端子収容溝に収容されることを特徴とする請求項５に記載の電源接続装置。
【請求項８】
前記支持部材の外周にはフランジが形成されることを特徴とする請求項１に記載の電源接続装置。
【発明の詳細な説明】
【背景技術】
【０００１】
本発明は、電源接続装置に関し、より詳しくは、プラグ端子を展開状態で堅固に維持できる電源接続装置に関する。
【技術分野】
【０００２】
一般に、高い電圧を低い電圧に転換するアダプター（Adaptor）や移動通信端末機の充電器のような電源接続装置は、小型カセットや移動通信端末機などを電源部に接続したり充電する役割を果たす。
【０００３】
このような電源接続装置の端部には、電源部に差し込まれるプラグ端子が備えられる。
【０００４】
電源接続装置は、プラグ端子の折り畳みが可能か否かによって、固定式と折り畳み式に分けられるが、以下、折り畳み式電源接続装置について説明する。
【０００５】
図７は、従来の電源接続装置を示す縦断面図である。
【０００６】
図７に示すように、従来の電源接続装置１０は、中間に挿通孔１１ａが形成される第１ケース１１と、該第１ケース１１ａと結合して内部に収容空間１２ａを有し、挿通孔１１ａに対応して内面にボス部１２ｂが突設される第２ケース１２と、第１ケース１１の挿通孔１１ａの内部に設置される支持部材１３と、プリント基板（図示せず）に接続するように第２ケース１２のボス部１２ｂに設置される接続板１４と、支持部材１３に回動可能に設置されるプラグ端子組立体１５とを含む。
【０００７】
プラグ端子組立体１５は、第１ケース１１の端子収容溝１１ｂに選択的に収容される２つのプラグ端子１５ａと、該２つのプラグ端子１５ａを連結し、支持部材１３に挿入される軸１５ｃとから構成される。
【０００８】
以下、このように構成された従来の電源接続装置の作用を説明する。
【０００９】
電源接続装置１０を使用しないとき、プラグ端子組立体１５のプラグ端子１５ａは、第１ケース１１の端子収容溝１１ｂに収容されて（折り畳まれて）いる。
【００１０】
この状態で、電源接続装置１０を使用するとき、使用者は、プラグ端子組立体１５のプラグ端子１５ａを出して展開させる。ここで、プラグ端子１５ａの接続突起１５ｄが接続板１４に接触し、プラグ端子組立体１５は接続板１４と通電した状態（電気的に接続した状態）を維持する。この状態で、使用者は、プラグ端子１５ａをコンセントという電源部（図示せず）に差し込むことで電源接続装置１０を使用する。
【００１１】
しかしながら、従来の電源接続装置は、プラグ端子組立体の展開状態を堅固に維持できる構造を備えていないため、プラグ端子組立体が展開状態を堅固に維持できずに揺れることがある。プラグ端子組立体が揺れると、プラグ端子組立体を電源部に差し込むことが非常に不便であり、製品の信頼性が低下する。
【発明の開示】
【発明が解決しようとする課題】
【００１２】
本発明の目的は、プラグ端子組立体の展開状態が堅固に維持でき、製品の信頼性が向上する電源接続装置を提供することにある。
【課題を解決するための手段】
【００１３】
このような目的を達成するために、本発明に係る電源接続装置は、中間に挿通孔が形成される第１ケースと該第１ケースと結合されて内部に収容空間を形成し、前記挿通孔に対応して内面にボス部が突設される第２ケースと、前記第１ケースの挿通孔の内部に回転可能に設置され、所定位置にスロットが形成される支持部材と、プリント基板に接続するように前記第２ケースのボス部に設置される接続板と、前記支持部材に回動可能に設置され、一方端部は前記接続板に接触し、他方端部は前記第１ケースの挿通孔を貫通して前記第１ケースの外部に露出するプラグ端子組立体とを含むことを特徴とする。
【００１４】
また、前記プラグ端子組立体は、前記支持部材に差し込まれるプラグ端子と、各プラグ端子を連結し、前記支持部材の軸孔に回動可能に挿入される絶縁体の軸とからなる。
【００１５】
また、前記支持部材に接触して前記プラグ端子組立体の展開状態を維持できるように前記各プラグ端子の終端に支持突起が形成される。
【００１６】
また、前記軸の中間には溝が形成され、前記溝に対応して前記支持部材には突起が形成される。
【００１７】
また、各プラグ端子の一側端部の中間に接続突起が形成され、前記接続突起に対応して前記接続板には接続溝が形成される。
【００１８】
また、前記プラグ端子組立体の展開状態では、前記プラグ端子の接続突起が前記接続溝に接触する。
【００１９】
また、前記プラグ端子組立体の展開状態では、前記プラグ端子の他側端部が前記第１ケースの挿通孔を貫通して前記第１ケースの外部に露出し、前記プラグ端子組立体の折り畳み状態では、前記プラグ端子の他側端部が前記第１ケースの端子収容溝に収容される。
【００２０】
本発明により以下が提供される。
【００２１】
項目１．
中間に挿通孔が形成される第１ケースと
該第１ケースと結合されて内部に収容空間を有し、前記挿通孔に対応して内面にボス部が突設される第２ケースと、
前記第１ケースの挿通孔の内部に回転可能に設置され、所定位置にスロットが形成される支持部材と、
プリント基板に接続するように前記第２ケースのボス部に設置される接続板と、
前記支持部材に回動可能に設置され、一方端部は前記接続板に接触し、他方端部は前記第１ケースの挿通孔を貫通して前記第１ケースの外部に露出するプラグ端子組立体と
を含むことを特徴とする電源接続装置。
【００２２】
項目２．
前記プラグ端子組立体は、
前記支持部材に差し込まれるプラグ端子と、
各プラグ端子を連結し、前記支持部材の軸孔に回動可能に挿入される絶縁体の軸とからなることを特徴とする項目１に記載の電源接続装置。
【００２３】
項目３．
前記支持部材に接触して前記プラグ端子組立体の展開状態を維持できるように前記各プラグ端子の終端に支持突起が形成されることを特徴とする項目２に記載の電源接続装置。
【００２４】
項目４．
前記軸の中間には溝が形成され、前記溝に対応して前記支持部材には突起が形成されることを特徴とする項目２に記載の電源接続装置。
【００２５】
項目５．
各プラグ端子の一側端部の中間に接続突起が形成され、前記接続突起に対応して前記接続板には接続溝が形成されることを特徴とする項目２に記載の電源接続装置。
【００２６】
項目６．
前記プラグ端子組立体の展開状態で、前記プラグ端子の接続突起が前記接続溝に接触することを特徴とする項目５に記載の電源接続装置。
【００２７】
項目７．
前記プラグ端子組立体の展開状態では、前記プラグ端子の他側端部が前記第１ケースの挿通孔を貫通して前記第１ケースの外部に露出し、前記プラグ端子組立体の折り畳み状態では、前記プラグ端子の他側端部が前記第１ケースの端子収容溝に収容されることを特徴とする項目５に記載の電源接続装置。
【００２８】
項目８．
前記支持部材の外周にはフランジが形成されることを特徴とする項目１に記載の電源接続装置。
【発明の効果】
【００２９】
プラグ端子組立体の展開状態で、支持突起がプラグ端子組立体を支持することによりプラグ端子組立体の展開状態が堅固に維持できるため、使用者がプラグ端子組立体を電源部に差し込むことが非常に便利であり、製品の信頼性が向上するという効果がある。
【発明を実施するための最良の形態】
【００３０】
以下、図面を参照して本発明の望ましい実施形態に係る電源接続装置について説明する。
【００３１】
図１は、本発明に係る電源接続装置を示す斜視図で、図２は、本発明に係る電源接続装置を示す分解斜視図で、図３は、図１のI−I線断面図で、図４は、本発明に係る電源接続装置における支持部材とプラグ端子組立体の結合状態を示す斜視図で、図５及び図６は、本発明に係る電源接続装置のプラグ端子組立体における支持突起を示す斜視図である。
【００３２】
図示されたように、本発明に係る電源接続装置１００は、中間に挿通孔１１１が形成される第１ケース１１０と、該第１ケース１１０と結合されて内部に収容空間１２１を有し、挿通孔１１１と対応して内面にボス部１２２が突設される第２ケース１２０と、第１ケース１１０の挿通孔１１１の内部に設置され、所定位置、詳しくはプラグ端子が収容されるようにプラグ端子に対応したスロット１３１が形成される支持部材１３０と、プリント基板１５０に接続するように第２ケース１２０のボス部１２２に設置される接続板１４０と、支持部材１３０に回動可能に設置され、一方端部は接続板１４０に接触し、他方端部は第１ケース１１０の挿通孔１１１を貫通して第１ケース１１０の外部に露出するプラグ端子組立体１６０とを含む。
【００３３】
プラグ端子組立体１６０は、支持部材１３０に差し込まれる第１プラグ端子１６１及び第２プラグ端子１６２と、該第１プラグ端子１６１と第２プラグ端子１６２を連結し、支持部材１３０の軸孔１３２に回動可能に挿入される絶縁体の軸１６３とから構成される。
【００３４】
支持部材１３０に接触してプラグ端子組立体１６０の展開状態を堅固に維持するように、軸１６３には支持突起１７０が形成される。
【００３５】
言い換えると、支持部材１３０の一方側には支持面１３３が形成され、該支持面１３３に対応して軸１６３の一方側には支持突起１７０が形成される。
【００３６】
また、軸１６３の他方側（例えば、他方側中間部）には溝１８０が形成され、該溝１８０に対応して支持部材１３０には突起１９０が形成されることが好ましい。
【００３７】
従って、プラグ端子組立体１６０の展開状態では、支持部材１３０の支持面１３３により軸１６３の支持突起１７０が支持されると同時に、軸１６３の溝１８０に支持部材１３０の突起１９０が係止されることにより、プラグ端子組立体１６０の展開状態が堅固に維持できる。
【００３８】
また、プラグ端子組立体１６０の展開状態を堅固に維持できるように、第１プラグ端子１６１と第２プラグ端子１６２の各一側端部の中間にそれぞれ接続突起１６０ａが形成され、該接続突起１６０ａに対応して接続板１４０には接続溝１４１が形成されることが好ましい。
【００３９】
プラグ端子組立体１６０の展開状態では、第１プラグ端子１６１と第２プラグ端子１６２の接続突起１６０ａが接続溝２４１に接触し、第１プラグ端子１６１と第２プラグ端子１６２の他側端部が第１ケース１１０の挿通孔１１１を貫通して第１ケース１１０の外部に露出する。また、プラグ端子組立体１６０の折り畳み状態では、第１プラグ端子１６１と第２プラグ端子１６２の他側端部が第１ケース１１０の端子収容溝１１２に収容される。
【００４０】
また、第１ケース１１０の挿通孔１１１に挿入された状態で支持部材１３０の円滑な回転のために支持部材１３０の外周にはフランジ１３５が形成される。
【００４１】
以下、図１〜図４を参照して本発明に係る電源接続装置の動作を説明する。
【００４２】
折り畳み状態のプラグ端子組立体１６０を展開させるために、まず、使用者は、指をフィンガー挿通孔１１３に入れて第１プラグ端子１６１を出す。ここで、プラグ端子組立体１６０の第１プラグ端子１６１及び第２プラグ端子１６２は、軸１６３を中心に回動する。また、接続突起１６０ａが接続溝１４１に電気接続可能な状態で接触する。
【００４３】
さらに、第１プラグ端子１６１及び第２プラグ端子１６２の回動が完了する瞬間、突起１９０が溝１８０に係止される。これと同時に、支持突起１７０が支持部材１３０の支持面１３３と接触することで、プラグ端子組立体１６０は展開状態を堅固に維持できる。
【００４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４５】
【図１】本発明に係る電源接続装置を示す斜視図である。
【図２】本発明に係る電源接続装置を示す分解斜視図である。
【図３】図１のI−I線断面図である。
【図４】本発明に係る電源接続装置における支持部材とプラグ端子組立体の結合状態を示す斜視図である。
【図５】本発明に係る電源接続装置のプラグ端子組立体における支持突起を示す斜視図である。
【図６】本発明に係る電源接続装置のプラグ端子組立体における支持突起を示す斜視図である。
【図７】従来の電源接続装置を示す縦断面図である。
【符号の説明】
【００４６】
１１０：第１ケース
１１１：挿通孔
１２０：第２ケース
１２１：収容空間
１２２：ボス部
１３０：支持部材
１３１：スロット
１３２：軸孔
１３３：支持面
１３５：フランジ
１４０：接続板
１４１：接続溝
１５０：プリント基板
１６０:プラグ端子組立体
１６１：第１プラグ端子
１６２：第２プラグ端子
１６０ａ：接続突起
１６３：軸
１７０：支持突起
１８０：溝
１９０：突起
【図１】
2006120631.tif 000003
【図２】
2006120631.tif 000004
【図３】
2006120631.tif 000005
【図４】
2006120631.tif 000006
【図５】
2006120631.tif 000007
【図６】
2006120631.tif 000008
【図７】
2006120631.tif 000009